(57)【要約】      （修正有）【課題】  電力効率及び光効率が高く、かつ歪曲のないＬＥＤ駆動装置を提供する。【解決手段】ＬＥＤ駆動装置は、ＬＥＤ３０に流れる電流Ｉｏが所定の目標電流値に至るように、線形モード電流Ｉａを増減させて前記ＬＥＤに出力する線形モード駆動部１２と；さらに、スイッチング動作によるリプルを除去するために、前記線形モード電流が所定の基準電流値を超えているか否かによってスイッチモード電流Ｉｄを増減させ、前記線形モード電流と相互補完して、前記ＬＥＤに出力するスイッチモード駆動部１４とを含む。【選択図】図５
2006229209.tif 000002
【特許請求の範囲】
【請求項１】
ＬＥＤを駆動するＬＥＤ駆動装置において、
前記ＬＥＤに流れる電流が所定の目標電流値に至るように線形モード電流を増減させて前記ＬＥＤに出力する線形モード駆動部と；
前記線形モード電流が所定の基準電流値を超えているか否かによってスイッチモード電流を増減させて前記ＬＥＤに出力するスイッチモード駆動部とを含むことを特徴とするＬＥＤ駆動装置。
【請求項２】
前記線形モード駆動部は、
前記ＬＥＤに流れる電流の電流値と前記目標電流値との差に対応する信号を出力するエラーアンプと；
前記エラーアンプの出力信号に対応して前記線形モード電流を増加または減少させて前記ＬＥＤに出力する出力トランジスターとを含むことを特徴とする、請求項１に記載のＬＥＤ駆動装置。
【請求項３】
前記スイッチモード駆動部は、
所定の電源装置から供給される電源による矩形波電流を積分して前記スイッチモード電流に変換するインダクターと；
前記インダクターに前記電源装置の電源を供給または遮断するスイッチと；
前記スイッチがターンオフされた場合、前記インダクターに流れる電流をフリーホイールさせるダイオードと；
前記線形モード電流の電流値と前記基準電流値を比較して、前記線形モード電流が前記基準電流値を超えているか否かによって論理的ハイまたはロー信号を出力する比較部と；
前記比較部の出力信号によって前記スイッチを開閉する信号を出力して前記スイッチを駆動するスイッチ駆動部とを含むことを特徴とする、請求項１に記載のＬＥＤ駆動装置。
【請求項４】
前記ＬＥＤに流れる電流を検出して前記線形モード駆動部に提供する第１電流検出部をさらに含むことを特徴とする、請求項１に記載のＬＥＤ駆動装置。
【請求項５】
前記線形モード電流を検出して前記スイッチモード駆動部に提供する第２電流検出部をさらに含むことを特徴とする、請求項１に記載のＬＥＤ駆動装置。
【請求項６】
前記線形モード電流及び前記スイッチモード電流が複数のＬＥＤに順次に流れるように、前記複数のＬＥＤ各々に対して前記線形モード電流及び前記スイッチモード電流を供給または遮断するスイッチブロックをさらに含むことを特徴とする、請求項１に記載のＬＥＤ駆動装置。
【発明の詳細な説明】
【技術分野】
【０００１】
本発明はＬＥＤ駆動装置に関する。より詳しくは、本発明は電力効率及び光効率が向上し、歪曲のない駆動電流を作り出すＬＥＤ駆動装置に関する。
【背景技術】
【０００２】
ＬＥＤ（発光ダイオード）は、デジタルマイクロミラーディバイス（ＤＭＤ）を使用したＤＬＰ（デジタルライトプロセッシング）プロジェクションＴＶ、プロジェクターなどのＤＭＤ映像装置だけでなく、ＬＣＤ映像装置の光源として利用できる。
【０００３】
ＬＥＤを光源として利用したＤＭＤ映像装置を図１に示した。図１のＤＭＤ映像装置は、その光源として赤（Ｒｅｄ）、緑（Ｇｒｅｅｎ）及び青（Ｂｌｕｅ）、つまり、ＲＧＢ各色に対して複数のＬＥＤモジュール２１０を光源として利用する。
【０００４】
ＬＥＤモジュール２１０はＬＥＤ駆動装置２００によって駆動され、駆動されたＬＥＤモジュール２１０が放出するＲＧＢの光信号がレンズ２２０を通じて順次にＤＭＤモジュール２３０に投射される。ＭＥＭＳ（マイクロエレクトローメカニカルシステム）工程によってＤＭＤモジュール２３０に集積されている数十あるいは数百万個の鏡２４０は、デジタル画素情報によって独立的にＯＮ／ＯＦＦの動作を行い、これによってＤＭＤモジュール２３０に投射されたＲＧＢ色信号はスクリーン２５０に所定の映像を形成する。
【０００５】
ＬＥＤを光源として使用するＤＭＤ映像装置は、図２に示したその動作波形２５４から分かるように、放電ランプを光源として使用する従来の映像装置の動作波形２５２に比べて、その光源の可用性が高いため、同じ光量に対して光効率が高いだけではなく、放電ランプに比べてＬＥＤの寿命がはるかに長く、カラーホイールのような機械的な装置を要しないので、寿命が半永久的であるという長所がある。
【０００６】
このようなＬＥＤモジュール２１０を駆動するためのＬＥＤ駆動装置２００は、図３に示したような回路構成を有することができる。図３のＬＥＤ駆動装置２００を線形モード駆動回路ともいう。このような形態のＬＥＤ駆動装置２００はＬＥＤモジュール２１０に流れる電流を検出する電流検出部、検出された電流値に対応する電圧と基準電圧Ｖｒｅｆとを比較して誤差信号を出力するエラーアンプ２６２、及び誤差信号によってＬＥＤモジュール２１０に流れる電流Ｉｏを増減させる出力トランジスター２６４で構成することができる。
【０００７】
図３のＬＥＤ駆動装置２００は、ＬＥＤモジュール２１０に流れる電流Ｉｏを検出し、その検出された電流値に対応する電圧と基準電圧Ｖｒｅｆとを比較して両電圧が同一になるようにＬＥＤモジュール２１０に流れる電流Ｉｏを補償して、ＬＥＤモジュール２１０に設定された基準電圧Ｖｒｅｆに対応する電流が流れるようにする。
【０００８】
白色光においてはＲＧＢ各色に対する光量が異なるので、ＬＥＤモジュール２１０を流れる電流ＩｏもＲＧＢ各々に対してその電流値が異ならなければならず、これを基準電圧Ｖｒｅｆにて調節することができる。
【０００９】
このような線形モードのＬＥＤ駆動装置２００は線形的な動作を行うので、リプル成分が発生せず、これによって画質特性が優れており、また過度特性及びスイッチング特性が速いので、光効率が優れている。反面、出力トランジスター２６４にかかる電圧降下によって、例えば、２０Ａ以上の駆動電流が流れる際に約２００Ｗ程の損失が発生し得るため、電力効率が低く、かつ大きな発熱が必然的に発生する。
【００１０】
つまり、図３のＬＥＤ駆動装置２００は、低い効率のために消費電力が大きくなり、これは電源装置に過重な負担を与えるようになるので設計容量が大きくなる一方、放熱のために大きな体積の放熱板が必要となるので大きさ及び重量が上昇し、製品の小型化に障害要因となる。
【００１１】
一方、ＬＥＤ駆動装置２００は図４に示したような回路構成を有することができ、このような形態の駆動回路をスイッチモード駆動回路ともいう。スイッチモードのＬＥＤ駆動装置２００は電流検出部、エラーアンプ２７２、ＰＷＭ変調部２７４、ゲート回路２７６、スイッチ２７８、インダクター２８０、ダイオード２８２、及びスイッチブロック２８４で構成できる。
【００１２】
スイッチモードのＬＥＤ駆動装置２００の電流検出部とエラーアンプ２７２の動作は、図３の線形モードの駆動回路と類似している。ＰＷＭ変調部２７４は、エラーアンプ２７２の出力と三角波とを比較してパルス幅変調信号（ＰＷＭ）を作り出し、パルス幅変調信号によってゲート回路２７６はＭＯＳＦＥＴで実現できるスイッチ２７８を駆動する。インダクター２８０はスイッチ２７８の矩形波パルス出力を積分してＬＥＤモジュール２１０に直流電流が供給されるようにする。
【００１３】
スイッチモードのＬＥＤ駆動装置２００はスイッチング動作を行うため、効率が９０％以上に高く、これにより消費電力及び放熱の問題は図３の駆動回路に比べて顕著に小さいが、スイッチング動作によるリプル電流によって画質特性が線形タイプより劣化し、あるＬＥＤモジュールから他の色のＬＥＤモジュールに転換する際に過度特性が遅いため、光効率が低いという短所がある。
【発明の開示】
【発明が解決しようとする課題】
【００１４】
本発明は前記問題点を解決するためのものであって、電力効率及び光効率が高く、かつ駆動電流の歪曲が少ないＬＥＤ駆動装置を提供することを目的とする。
【課題を解決するための手段】
【００１５】
前記目的を達成するために、本発明は、ＬＥＤを駆動するＬＥＤ駆動装置において、前記ＬＥＤに流れる電流が所定の目標電流値に至るように線形モード電流を増減させて前記ＬＥＤに出力する線形モード駆動部；及び前記線形モード電流が所定の基準電流値を超えているか否かによってスイッチモード電流を増減させて前記ＬＥＤに出力するスイッチモード駆動部を含むことを特徴とするＬＥＤ駆動装置を提供する。これにより、スイッチング動作によるリプルを除去することによって電流の忠実度が高くなり、線形モードのダイナミック特性によって光効率が高くなると共に、電力効率が低い線形モードの利用を最少化し、スイッチモードに依存することによって、電力効率を最大化することができる。
【００１６】
前記線形モード駆動部は、前記ＬＥＤに流れる電流の電流値と前記目標電流値との差に対応する信号を出力するエラーアンプと；前記エラーアンプの出力信号に対応して前記線形モード電流を増加または減少させて前記ＬＥＤに出力する出力トランジスターとを含むことが好ましい。これによって、前記線形モード駆動部は、前記ＬＥＤに流れる電流が目標電流値となるように前記線形モード電流を増減させることができる。
【００１７】
前記スイッチモード駆動部は、所定の電源装置から供給される電源による矩形波電流を積分して前記スイッチモード電流に変換するインダクターと；前記インダクタに前記電源装置の電源を供給または遮断するスイッチと；前記スイッチがターンオフされた場合、前記インダクターに流れる電流をフリーホイールさせるダイオードと；前記線形モード電流の電流値と前記基準電流値とを比較して、前記線形モード電流が前記基準電流値を超えているか否かによって論理的ハイまたはロー信号を出力する比較部と；前記比較部の出力信号によって前記スイッチを開閉する信号を出力して前記スイッチを駆動するスイッチ駆動部とを含むことができる。これによって、前記スイッチモード駆動部は、前記線形モード電流が所定の基準電流値に到達するまで前記スイッチモード電流を増加または減少させることができる。
【００１８】
前記ＬＥＤ駆動装置は、前記ＬＥＤに流れる電流を検出して前記線形モード駆動部に提供する第１電流検出部と、前記線形モード電流を検出して前記スイッチモード駆動部に提供する第２電流検出部とをさらに含むことが好ましい。これにより、前記線形モード駆動部はＬＥＤに流れる電流の電流値を評価することができ、前記スイッチモード駆動部は前記線形モード電流の電流値を評価することができるようになる。
【００１９】
前記ＬＥＤ駆動装置は、前記線形モード電流及び前記スイッチモード電流が複数のＬＥＤに順次に流れるように、前記複数のＬＥＤ各々に対して前記線形モード電流及び前記スイッチモード電流を供給または遮断するスイッチブロックをさらに含むことができる。これにより、前記ＬＥＤ駆動装置は複数のＬＥＤに前記線形モード電流及び前記スイッチモード電流を順次に提供することができるようになる。一方、前記ＬＥＤ駆動装置は、目標電流値が変化する場合にもスイッチモードの動作による過度応答が発生しないので、光効率が高い。
【発明の効果】
【００２０】
本発明によれば、電力効率及び光効率の高いＬＥＤ駆動装置を提供することができる。
【発明を実施するための最良の形態】
【００２１】
以下、添付した図面を参照して、本発明の好ましい実施形態を中心に本発明について詳細に説明する。図５は、本発明の好ましい実施形態によるＬＥＤ駆動装置１０の構成を示した図面である。
【００２２】
本実施形態のＬＥＤ駆動装置１０は、デジタルマイクロミラーディバイス（ＤＭＤ）を使用したＤＬＰプロジェクションＴＶ、プロジェクターなどのＤＭＤ映像装置及びＬＣＤバックライトの光源として利用されるＬＥＤ３０を駆動する。
【００２３】
本実施形態のＬＥＤ駆動装置１０は、図５に示したように、線形モード駆動部１２及びスイッチモード駆動部１４を含む。本実施形態の線形モード駆動部１２及びスイッチモード駆動部１４の各出力端は、ＬＥＤ３０の入力端であるアノードに連結されており、各々線形モード電流Ｉａ及びスイッチモード電流ＩｄをＬＥＤ３０のアノードに出力する。したがって、ＬＥＤ３０を経て流れる電流Ｉｏは線形モード電流Ｉａとスイッチモード電流Ｉｄとの合計になる。
【００２４】
線形モード駆動部１２は、ＬＥＤ３０に流れる電流が所定の目標電流値に到達するように線形モード電流Ｉａを増減させる。本実施形態の線形モード駆動部１２はエラーアンプ１２２及び出力トランジスター１２４を含む。
【００２５】
エラーアンプ１２２は二つの入力端を有し、その出力端は出力トランジスター１２４の入力端に連結されている。本実施形態のエラーアンプ１２２は、ＬＥＤ３０に流れる電流Ｉｏの電流値と目標電流値との差に対応する信号を出力する。エラーアンプ１２２は、例えば、Ｏｐ−ａｍｐで実現される。
【００２６】
本実施形態のＬＥＤ駆動装置１０は、ＬＥＤ３０に流れる電流Ｉｏを検出する第１電流検出部１６を含むことができる。第１電流検出部１６は、ＬＥＤ３０の出力端であるカソードにその一端が連結され、他端は接地される。また、第１電流検出部１６は、ＬＥＤ３０に流れる電流Ｉｏを検出して電流Ｉｏに対応する電圧をエラーアンプ１２２に提供する。
【００２７】
エラーアンプ１２２は、第１電流検出部１６からＬＥＤ３０に流れる電流Ｉｏに対応する電圧を反転入力端子に入力し、目標電流値に対応する所定の目標電圧Ｖｒｅｆを非反転入力端子に入力する。ここで、目標電流値はＬＥＤ３０に流そうとする電流の大きさをいう。エラーアンプ１２２はＬＥＤ３０に流れる電流Ｉｏに対応する電圧と目標電圧Ｖｒｅｆとの電圧差を増幅して出力信号として出力する。
【００２８】
出力トランジスター１２４は、エラーアンプ１２２の出力信号に対応して、線形モード電流Ｉａを増加または減少させてＬＥＤ３０に出力する。本実施形態の出力トランジスター１２４は互いに異なるタイプの２つのバイポラー接合トランジスターがプッシュフル形態で結合されている。つまり、出力トランジスター１２４では、両トランジスターのベースが結合されてエラーアンプ１２２の出力端と連結されており、両トランジスターのエミッタが結合されて線形モード駆動部１２の出力端として線形モード電流Ｉａを出力する。また、ｎｐｎ型のトランジスターのコレクターは、所定の電源装置に連結されて電源装置から電源電圧Ｖｃｃが供給され、ｐｎｐ型のトランジスターのコレクターは接地されている。
【００２９】
本実施形態の出力トランジスター１２４は、現在出力されている線形モード電流Ｉａがエラーアンプ１２２の出力信号に対応するほど増加または減少するように動作する。したがって、線形モード駆動部１２は、ＬＥＤ３０に流れる電流Ｉｏが目標電流値に到達するように線形モード電流Ｉａを出力し、出力された線形モード電流Ｉａに所定の他の電流が付加され、ＬＥＤ３０に流れる電流Ｉｏの電流値と目標電流値との間に差が発生すれば、その差に相当するほどの電流を、出力される線形モード電流Ｉａに加減することによって、ＬＥＤ３０に流れる電流Ｉｏが目標電流値に到達するように持続的に線形モード電流Ｉａが調整されるように動作する。
【００３０】
本実施形態のスイッチモード駆動部１４は、線形モード電流Ｉａが所定の基準電流値を超えているか否かによってスイッチモード電流Ｉｄを増減させてＬＥＤ３０に出力する。本実施形態のスイッチモード駆動部１４は、図５に示したように、インダクター１５２、ダイオード１５４、スイッチ１４６、比較部１４２、及びスイッチ駆動部１４４を含む。一方、スイッチモード駆動部１４は、線形モード電流Ｉａを検出してスイッチ駆動部１４４に提供する第２電流検出部１８をさらに含んでも良い。
【００３１】
インダクター１５２の一端はスイッチ１４６の一端及びダイオード１５４のカソードに連結され、他端はＬＥＤ３０側に連結されている。インダクタ１５２に流れる電流がスイッチモード電流Ｉｄとなる。ダイオード１５４のアノードは接地されている。スイッチモード電流Ｉｄは、所定の電源装置から供給される電源による矩形波電流をインダクター１５２に積分して変換したものである。
【００３２】
本実施形態のスイッチ１４６はＭＯＳＦＥＴで実現され、ゲートはスイッチ駆動部１４４の出力端に連結されており、ドレインは所定の電源装置に連結されて電源電圧Ｖｃｃの供給を受ける。また、スイッチ１４６のソースはインダクター１５２の一端及びダイオード１５４のカソードに連結されている。
【００３３】
スイッチ１４６は、ゲートに入力されるゲート電圧の論理状態によりターンオンまたはターンオフされてスイッチング動作を行う。スイッチ１４６がターンオンされれば、ドレイン及びソース間の電流の流れが導通して電源電圧Ｖｃｃがインダクター１５２に印加され、導通時間が経過することによってインダクター１５２に流れる電流は所定レベルまで充電されてスイッチモード電流Ｉｄが増加する。一方、スイッチ１４６がターンオフされれば、ドレイン及びソースの電流の流れが遮断され、インダクター１５２に充電された電流はＬＥＤ３０及びダイオード１５４を通じループを形成して流れるようになり、この場合、電源供給が遮断されたので、スイッチモード電流Ｉｄは減少する。
【００３４】
比較部１４２は、線形モード電流Ｉａの電流値と基準電流値とを比較して、線形モード電流Ｉａが基準電流値を超えているか否かによって論理的ハイまたはロー信号を出力し、本実施形態ではＯｐ−ａｍｐで実現される。
【００３５】
比較部１４２の非反転入力端子は第２電流検出部１８の出力端と連結されており、線形モード電流Ｉａに対応する電圧が印加され、反転入力端子は接地されている。つまり、本実施形態における基準電流値は０であり、これに対応する電圧は接地電位である０となる。したがって、比較部１４２は線形モード電流Ｉａに対応する電圧が０より大きいと、論理的ハイ信号を出力し、そうでなければ論理的ロー信号を出力する。
【００３６】
スイッチ駆動部１４４は、比較部１４２の出力信号によってスイッチ１４６を開閉させる信号を出力してスイッチ１４６を駆動する。スイッチ駆動部１４４は、比較部１４２の出力信号が論理的ハイ信号であるかまたは論理的ロー信号であるかによって、スイッチ１４６がターンオンまたはターンオフされるように、適切なレベルのゲート電圧を発生させてスイッチ１４６のゲートに印加する。
【００３７】
つまり、本実施形態のスイッチ駆動部１４４は、線形モード電流Ｉａが所定の基準電流値である０より大きいと、スイッチモード電流Ｉｄを出力し始めて続けて増加させ、線形モード電流Ｉａが基準電流値である０に到達すると、スイッチモード電流Ｉｄを減少させる。
【００３８】
このような本実施形態のＬＥＤ駆動装置１０の動作による各電流の波形を図６に示した。図６に示したように、ＬＥＤに流れる最初の電流Ｉｏが０であると仮定すれば、線形モード駆動部１２はＬＥＤに流れる電流Ｉｏに対応する電圧が０であり、目標電流値に対応する目標電圧Ｖｒｅｆが０より大きい所定の大きさを有するので、目標電流値の大きさを有する線形モード電流Ｉａを出力する。
【００３９】
これに対し、スイッチモード駆動部１４は線形モード電流Ｉａが基準電流値である０より大きいので、スイッチモード電流Ｉｄを出力し始める。線形モード駆動部１２は、ＬＥＤに流れる電流Ｉｏが目標電流値よりスイッチモード電流Ｉｄに相当するほどさらに大きいため、線形モード電流Ｉａが目標電流値よりスイッチモード電流Ｉｄに相当するほどさらに小さくなるように線形モード電流Ｉａを減少させる。これに対し、スイッチモード駆動部１４は線形モード電流Ｉａが依然として基準電流値である０より大きいので、スイッチモード電流Ｉｄをさらに増加させて出力する。
【００４０】
このように、線形モード駆動部１２は線形モード電流Ｉａを続けて減少させ、スイッチモード駆動部１４はスイッチモード電流Ｉｄを続けてさらに増加させて出力する。
【００４１】
スイッチモード駆動部１４は、線形モード電流Ｉａが０になると基準電流値を超えないので、スイッチモード電流Ｉｄを減少させる。これに対し、線形モード駆動部１２はＬＥＤに流れる電流Ｉｏがスイッチモード電流Ｉｄであり、これは目標電流値よりさらに小さいため、（目標電流値−スイッチモード電流Ｉｄ）に相当するほどの線形モード電流Ｉａを出力させる。これに対し、スイッチモード駆動部１４は線形モード電流Ｉａが基準電流値である０より大きいので、スイッチモード電流Ｉｄをさらに増加させて出力する。
【００４２】
つまり、ＬＥＤ駆動装置１０は、線形モード電流Ｉａが基準電流値の近辺で所定の大きさのリプルの形態に増減し、スイッチモード電流Ｉｄが目標電流値の近辺で所定の大きさのリプルの形態に増減するように動作する。このような線形モード電流Ｉａ及びスイッチモード電流Ｉｄの各リプルは相互補完的な関係にあるため、線形モード電流Ｉａ及びスイッチモード電流Ｉｄの合計であるＬＥＤ３０に流れる電流Ｉｏは矩形波の形態を有するようになり、目標電流値の近辺でほとんど平坦な特性を有する。
【００４３】
従って、本実施形態のＬＥＤ駆動装置１０によれば、スイッチモード回路のスイッチング動作によるリプルを除去することができるので駆動電流の歪曲特性が向上し、線形モード回路の速いダイナミック特性によって光効率が増加し、画質を改善することができるようになる。また、本実施形態のＬＥＤ駆動装置１０によれば、ＬＥＤ３０に流れる電流Ｉｏが目標電流値を維持する間、線形モード電流Ｉａは基準電流値である０の近辺にあり、大部分の電流はスイッチモード電流Ｉｄによるものであるので、電力効率が低い線形モード駆動部１２の電力消費を最少化し、電力効率の高いスイッチモード駆動部１４に依存するようにすることによって、消費電力の効率を最大化することができる。
【００４４】
本発明のＬＥＤ駆動装置１０は、複数のＬＥＤ３０を順次に駆動することができる。本実施形態のＬＥＤ駆動装置１０はＲＧＢ各色に対して複数のＬＥＤで構成された３個のＬＥＤモジュール３０を駆動する。この場合、ＬＥＤ駆動装置１０は、線形モード電流Ｉａ及びスイッチモード電流Ｉｄが３つのＬＥＤモジュール３０に順次に流れるように、３つのＬＥＤモジュール３０各々に対して線形モード電流Ｉａ及びスイッチモード電流Ｉｄを供給または遮断するスイッチブロック２０をさらに含むことができる。
【００４５】
本実施形態のスイッチブロック２０は、３つの分岐スイッチ及び分岐スイッチを駆動する分岐スイッチ駆動部を含むことができる。スイッチブロック２０は、ＲＧＢ各色に対応して目標電流値が変化することによって、３つの分岐スイッチを順次に開閉させる。
【００４６】
目標電流値が変化する場合、これに対応する目標電圧Ｖｒｅｆは、図６に示したように、所定時間０の区間を形成する。目標電圧Ｖｒｅｆが所定の目標レベルから０に変化する場合、線形モード電流Ｉａ及びスイッチモード電流Ｉｄは、図６に示したように、０に定着するまで所定の過度区間を有する。また、目標電圧Ｖｒｅｆが０から所定の目標レベルに変化する場合にも、線形モード電流Ｉａ及びスイッチモード電流Ｉｄは、基準電流値及び目標電流値の近辺でリプルを形成し、安定するまで所定の過度区間を有する。
【００４７】
このような過度区間においても、線形モード電流Ｉａ及びスイッチモード電流Ｉｄは相互補完的な関係にあるため、ＬＥＤ３０に流れる電流Ｉｏは矩形波の形態を有するようになり、基準電流値及び目標電流値の近辺でほとんど平坦な特性を有する。
【００４８】
従って、本実施形態のＬＥＤ駆動装置１０によれば、スイッチング動作による過度応答を除去することができるので、ＤＭＤが動作できない不用区間を最少化することができ、かつ光効率を向上させることができる。
【００４９】
以上、好ましい実施形態を通じて本発明について詳細に説明したが、本発明はこれに限定されるわけではなく、特許請求の範囲内で多様に実施できる。
【図面の簡単な説明】
【００５０】
【図１】従来のＬＥＤ駆動装置の構成を示した図である。
【図２】従来のＤＭＤ映像装置の動作波形を示した波形図である。
【図３】従来の線形モードのＬＥＤ駆動装置の回路構成を示した回路図である。
【図４】従来のスイッチモードのＬＥＤ駆動装置の回路構成を示した回路図である。
【図５】本発明の好ましい実施形態によるＬＥＤ駆動装置の構成を示した図である。
【図６】図５のＬＥＤ駆動装置による目標電圧及び各電流の波形を示した波形図である。
【符号の説明】
【００５１】
１０        ＬＥＤ駆動装置
１２        線形モード駆動部
１４        スイッチモード駆動部
１６        第１、２電流検出部
１８        第１、２電流検出部
２０        スイッチブロック
３０        ＬＥＤ
１２２      エラーアンプ
１２４      出力トランジスター
１４２      比較部
１４４      スイッチ駆動部
１４６      スイッチ
１５２      インダクター
１５４      ダイオード
Ｉａ        線形モード電流
Ｉｄ        スイッチモード電流
Ｖｃｃ      電源電圧
Ｖｒｅｆ    目標電圧
【図１】
2006229209.tif 000003
【図２】
2006229209.tif 000004
【図３】
2006229209.tif 000005
【図４】
2006229209.tif 000006
【図５】
2006229209.tif 000007
【図６】
2006229209.tif 000008